(57)【要約】【課題】  画像処理装置から画像形成装置に送られる画像処理装置の濃度補正機能のための濃度補正用測定ページを画像形成装置で印刷する前に、必ず画像形成装置の濃度補正機能を実施するようにし、画像形成装置の画像形成性質を最良な状態で画像処理装置の濃度補正機能を行い、なるべく画像処理装置の濃度補正機能の精度を高めることができる印刷システムを提供する。【解決手段】  画像形成装置に接続手段を介して接続されている画像処理装置において、前記画像処理装置は、画像処理手段と、画像処理用濃度補正手段と、属性付加手段とを有し、前記画像形成装置は、画像形成手段と、画像形成用濃度補正手段と、属性認識手段と、濃度補正指示手段とを有することを特徴とする。【選択図】        図１
2006227877.tif 000002
【特許請求の範囲】
【請求項１】
画像形成装置に接続手段を介して接続されている画像処理装置において、
前記画像処理装置は、
利用者からの印刷ジョブに対して画像処理を施し、前記画像形成装置に対応する画像データに展開する画像処理手段と、
濃度補正用測定ページを前記画像形成装置で実際に印刷用紙に印刷して、その出力画像の測定値と、該画像処理装置のターゲット値に基づいて、その差異を補正する方式の画像処理用濃度補正手段と、
前記画像処理用濃度補正手段に使用する濃度補正用測定ページの印刷ジョブに、濃度補正用測定ページである旨を示す属性を付加する属性付加手段と、
前記画像形成装置は、
前記画像処理装置から送信される印刷ジョブの画像データから用紙に印刷する画像形成手段と、
ある一定条件に到達すると、該画像形成手段の経時変化を補正するために、前記画像処理装置の濃度補正とは非同期で自動的に濃度補正を行う画像形成用濃度補正手段と、
前記画像処理装置から送信される印刷ジョブが、前記画像処理用濃度補正手段に使用する濃度補正用測定ページである場合に、送信される印刷ジョブの属性を解析して、画像処理用濃度補正手段に使用する濃度補正用測定ページであることを認識する属性認識手段と、
前記画像処理装置から送信される印刷ジョブが、画像処理用濃度補正手段に使用する濃度補正用測定ページであると前記属性認識手段が認識した場合に、必ず先ず前記画像形成用濃度補正手段に濃度補正を実施指示する濃度補正指示手段と、
を有することを特徴とする印刷システム。
【請求項２】
前記接続手段は、前記画像処理装置と前記画像形成装置との間の制御コマンドの通信を行うためのイーサネット（登録商標）ケーブルと、前記画像処理装置から前記画像形成装置に送信される印刷ジョブの画像データを送信するためのビデオ転送テーブルであることを特徴とする請求項１に記載の印刷システム。
【請求項３】
前記画像形成用濃度補正手段は、前回、画像形成用濃度補正手段による濃度補正が行われてから、一定時間経過すると、自動的に該画像形成用濃度補正手段による濃度補正行うことを特徴とする請求項１に記載の印刷システム。
【請求項４】
前記画像形成用濃度補正手段は、前回、画像形成用濃度補正手段による濃度補正が行われてから、一定枚数を前記画像形成装置において印刷されると、自動的に該画像形成用濃度補正手段による濃度補正行うことを特徴とする請求項１に記載の印刷システム。
【請求項５】
前記濃度補正指示手段は、たとえ前記属性認識手段によって、前記画像処理装置から送信される印刷ジョブが、画像処理用濃度補正手段に使用する濃度補正用測定ページであると認識された場合でも、前回、画像形成用濃度補正手段による濃度補正が行われてから一定時間経過していなければ、今回、画像形成用濃度補正手段による濃度補正の実施指示はしないことを特徴とする請求項１に記載の印刷システム。
【請求項６】
前記濃度補正指示手段は、たとえ前記属性認識手段によって、前記画像処理装置から送信される印刷ジョブが、画像処理用濃度補正手段に使用する濃度補正用測定ページであると認識された場合でも、前回、画像形成用濃度補正手段による濃度補正が行われてから一定枚数を前記画像形成装置において印刷されていなければ、今回、画像形成用濃度補正手段による濃度補正の実施指示はしないことを特徴とする請求項１に記載の印刷システム。
【発明の詳細な説明】
【技術分野】
【０００１】
本発明は、画像処理装置と画像形成装置の両方に濃度補正機能を有する印刷システムに関するものであり、特に、画像処理装置からの濃度補正用測定ページを画像形成装置にて印刷する際には、必ず画像形成装置の濃度補正も実施し、画像処理装置の濃度補正機能をなるべく高めることを可能にした、印刷システムに関する。
【背景技術】
【０００２】
従来、画像処理装置と画像形成装置が接続媒体によって疎な接続形態である場合に、かつ、画像処理装置と画像形成装置の両方に濃度補正機能を有する場合には、画像処理装置の濃度補正機能において使用する濃度補正用測定ページを、画像形成装置にて印刷するときであっても、画像形成装置の濃度補正機能の実施は画像処理装置のそれとは非同期であり、画像処理装置からの濃度補正用測定ページを印刷し、画像処理装置は濃度補正機能を実施していた。
【特許文献１】特開２０００−２３８３４１号公報
【発明の開示】
【発明が解決しようとする課題】
【０００３】
しかしながら、従来の技術では、画像処理装置が濃度補正機能を実施する際に、画像形成装置の画像形成品質が低下していると、画像形成装置の濃度補正結果の精度が低かった。
【０００４】
また、画像処理装置の濃度補正機能を実施した後すぐに、画像処理装置の濃度補正機能とは非同期で自動的に行われる画像形成装置の濃度補正機能が実施されると、画像形成装置の画像形成品質が変化して色味変動が起こるので、画像形成装置の濃度補正機能が実施される前の画像形成装置の画像形成性質を基準にして画像処理装置の濃度補正機能を実施した効果が無くなっていた。
【０００５】
従って、画像形成装置の画像形成性質を最良な状態で、画像形成装置の濃度補正機能の濃度補正用測定ページを印刷し、また、自動的に行われる画像形成装置の濃度補正機能の実行条件へのカウンタをリセットするような印刷システムが望まれている。
【０００６】
本発明は、上述の問題点に着目してなされたものであって、画像形成装置の画像形成性質を最良な状態で、画像形成装置の濃度補正機能の濃度補正用測定ページを印刷し、また、自動的に行われる画像形成装置の濃度補正機能の実行条件へのカウンタをリセットすることが出来る印刷システムを提供することを目的とする。
【課題を解決するための手段】
【０００７】
上記課題を解決するために、本発明である印刷システムにおける具体的な手段として以下の構成を備える。
【０００８】
画像形成装置に接続手段を介して接続されている画像処理装置において、前記画像処理装置は、利用者からの印刷ジョブに対して画像処理を施し、前記画像形成装置に対応する画像データに展開する画像処理手段と、濃度補正用測定ページを前記画像形成装置で実際に印刷用紙に印刷して、その出力画像の測定値と、該画像処理装置のターゲット値に基づいて、その差異を補正する方式の画像処理用濃度補正手段と、前記画像処理用濃度補正手段に使用する濃度補正用測定ページの印刷ジョブに、濃度補正用測定ページである旨を示す属性を付加する属性付加手段と、前記画像形成装置は、前記画像処理装置から送信される印刷ジョブの画像データから用紙に印刷する画像形成手段と、ある一定条件に到達すると、該画像形成手段の経時変化を補正するために、前記画像処理装置の濃度補正とは非同期で自動的に濃度補正を行う画像形成用濃度補正手段と、前記画像処理装置から送信される印刷ジョブが、前記画像処理用濃度補正手段に使用する濃度補正用測定ページである場合に、送信される印刷ジョブの属性を解析して、画像処理用濃度補正手段に使用する濃度補正用測定ページであることを認識する属性認識手段と、前記画像処理装置から送信される印刷ジョブが、画像処理用濃度補正手段に使用する濃度補正用測定ページであると前記属性認識手段が認識した場合に、必ず先ず前記画像形成用濃度補正手段に濃度補正を実施指示する濃度補正指示手段と、を有することを特徴とする印刷システム。
【発明の効果】
【０００９】
本発明によれば、画像処理装置から画像形成装置に送られる画像処理装置の濃度補正機能のための濃度補正用測定ページを画像形成装置で印刷する前に、必ず画像形成装置の濃度補正機能を実施できるようになったことで、画像形成装置の画像形成性質を最良な状態で、画像形成装置の濃度補正機能の濃度補正用測定ページを印刷することで、また、自動的に行われる画像形成装置の濃度補正機能の実行条件へのカウンタがリセットされるので、自動的に画像形成装置の濃度補正が実行されるまでの期間が最大となり、画像形成装置の濃度補正が実行されることによる色味変動を起きなくすることで、画像処理装置の濃度補正機能をなるべく高める印刷システムが提供できる。
【発明を実施するための最良の形態】
【００１０】
以下、図を参照しながら本発明の実施例について詳細に説明する。
【実施例１】
【００１１】
図１は、本発明の実施例１に係る印刷システムの全体説明図である。なお、本実施例では、本発明の印刷システムを、プリンタやコピー、ファックスやその他の機能を複合的に搭載したＭＦＰ（マルチ・ファンクション・プリンタ）として説明する。
【００１２】
まず、画像処理装置０１０１は、画像処理部０１０２と、画像処理用濃度補正部０１０３と、属性付加部０１０４から構成される。なお、本実施例では、画像処理装置０１０１をプリンタコントローラとして説明する。
【００１３】
次に、画像形成装置０１０５は、属性認識部０１０６と、濃度補正指示部０１０７と、画像形成用濃度補正部０１０８と、画像形成部０１０９から構成される。なお、本実施例では、画像形成装置０１０５をプリンタエンジンとして説明する。
【００１４】
次に、画像処理装置０１０１と画像形成装置０１０５は、イーサネット（登録商標）ケーブル０１１０と、ビデオ転送テーブル０１１１で接続される。
【００１５】
次に、画像処理部０１０２は、主にＰＣ等の利用者からＭＦＰに送られる印刷ジョブのページ記述言語を解析し、画像形成装置０１０６で処理できるビットマップデータ形式に展開するものであり、本発明の印刷システムの画像処理手段にあたる。
【００１６】
次に、画像処理用濃度補正部０１０３は、濃度補正用測定ページを画像形成装置０１０５で実際に印刷用紙に印刷して、その出力画像の測定値と、該画像処理装置のターゲット値に基づいて、その差異を補正する方式であって、いわゆるプリンタコントローラのキャリブレーションと呼ばれるものであり、本発明の印刷システムの画像処理用濃度補正手段にあたる。なお、本実施例では、様々な濃度を持った複数の同じ色を含んだパッチを、任意の計算式を使って、一枚の用紙にランダムに散りばめた濃度補正用測定ページを生成し、それを画像形成装置０１０５の画像形成部０１０９で出力させ、ＭＦＰのスキャナでそれを電子データとして読み込ませた後、その電子データをから現在の各パッチの出力濃度を分析し、印刷ジョブで指定されている入力値に対する画像形成装置０１０５からの出力値を近似させるための濃度変換テーブルの変更を行う方法を採用しているが、本発明はこのキャリブレーション方法に限定はしない。
【００１７】
次に、属性付加部０１０４は、画像処理用濃度補正部０１０３で必要となる濃度補正用測定ページが、画像処理装置０１０１から画像形成装置０１０５に送信される際に、その濃度補正用測定ページの印刷ジョブに、濃度補正用測定ページである旨を示す属性、つまりコマンドパラメータを付加するものであり、本発明の印刷システムの属性付加手段にあたる。
【００１８】
次に、属性認識部０１０６は、画像処理装置０１０１から画像形成装置０１０５へ送信される印刷ジョブが、画像処理用濃度補正部０１０３に使用する濃度補正用測定ページである場合に、送信される印刷ジョブの属性、つまりコマンドパラメータを解析して、画像処理用濃度補正部０１０３に使用する濃度補正用測定ページであることを認識するものであり、本発明の印刷システムの属性認識手段にあたる。
【００１９】
次に、濃度補正指示部０１０７は、属性認識部０１０６において、画像処理装置０１０１から画像形成装置０１０５に送信された印刷ジョブは、画像処理用濃度補正部０１０３に使用する濃度補正用測定ページであること認識された場合に、画像形成用濃度補正部０１０８に対し、必ずその印刷ジョブの直前に濃度補正を実施するように指示、つまり濃度補正実施にトリガーをかけるものであり、本発明の印刷システムの濃度補正指示手段にあたる。
【００２０】
次に、画像形成用濃度補正部０１０８は、ある一定条件に到達すると、画像形成部０１０９の経時変化を補正するための濃度補正、いわゆるプリンタエンジンのキャリブレーションを、画像処理装置０１０１の画像処理用濃度補正とは非同期に実施するものであり、本発明の印刷システムの画像形成用濃度補正手段にあたる。
【００２１】
次に、画像形成部０１０８は、いわゆる電子写真方式やインクジェット方式等の印刷方式であって、画像処理装置０１０１からビデオ転送テーブル０１１１を介して送信されるビットマップデータ形式の画像データから実際の用紙に印刷するものであり、本発明の印刷システムの画像形成手段にあたる。
【００２２】
次に、イーサネット（登録商標）ケーブル０１１０は、いわゆる汎用の双方向ネットワーク通信用ケーブルであって、画像処理装置０１０１と画像形成装置０１０５との間の制御コマンドの通信を行うためのものであり、本発明の印刷システムの接続手段の一つである。
【００２３】
最後に、ビデオ転送テーブル０１１１は、いわゆる特定機器専用の双方向データ通信用ケーブルであって、画像処理装置０１０１から前記画像形成装置に送信される印刷ジョブの画像データ、つまり画像処理部０１０２で展開されたビットマップデータを、同期を取りながら送信するためのビデオ転送テーブルであり、本発明の印刷システムのもう一つの接続手段である。
【００２４】
図２は、画像処理用濃度補正部０１０３が生成する濃度補正用測定ページの一例について詳細に示した図である。
【００２５】
まず、カラーパッチエリア０２０１は、シアントナー、マゼンタトナー、イエロートナー、ブラックトナーを用いて、様々な濃度を持った複数の同じ色を含んだパッチを、任意の計算式を使って、一枚の用紙にランダムに散りばめたものである。このエリアの中には、様々な濃度で同色を含む複数のカラーパッチが配列されており、画像形成装置０１０５の印字領域面内ムラ、つまり面内の実際出力濃度の偏りによるキャリブレーション精度劣化を防止するためのものである。また、本方式の詳細については本発明の範囲ではないので、ＵＳＰ５７６０９１３を参照頂きたい。なお、本実施例では、画像形成に電子写真方式を採用しているが、この方式は限定されるものではなく、例えば、画像形成にインクジェット方式を採用した場合は、それぞれシアンインク、マゼンタインク、イエローインク、ブラックインクに該当し、さらに、４色のみならず、それ以上またはそれ以下のトナー数またはインク数でも構わない。
【００２６】
次に、プロセスブラックパッチエリア０２０２は、シアントナー、マゼンタトナー、イエロートナー、ブラックトナーによって生成される様々な濃度のグレーパッチが濃度順に配列されているものである。また、本方式の詳細については本発明の範囲ではないので、ＵＳＰ５７６０９１３を参照頂きたい。なお、本実施例では、画像形成に電子写真方式を採用しているが、この方式は限定されるものではなく、例えば、画像形成にインクジェット方式を採用した場合は、それぞれシアンインク、マゼンタインク、イエローインク、ブラックインクに該当し、さらに、４色のみならず、それ以上またはそれ以下のトナー数またはインク数でも構わない。
【００２７】
次に、純ブラックパッチエリア０２０３は、ブラックトナーのみによって生成される様々な濃度のグレーパッチが濃度順に配列されているものである。また、本方式の詳細については本発明の範囲ではないので、ＵＳＰ５７６０９１３を参照頂きたい。なお、本実施例では、画像形成に電子写真方式を採用しているが、この方式は限定されるものではなく、例えば、画像形成にインクジェット方式を採用した場合は、ブラックインクに該当する。
【００２８】
図３は、画像形成用濃度補正部０１０８が、画像形成部０１０９の経時変化を補正するための濃度補正、いわゆるプリンタエンジンのキャリブレーションを、画像処理装置０１０１の画像処理用濃度補正とは非同期に自動的に行う条件の一例を詳細に示した表である。
【００２９】
まず、第一条件０３０１は、起動時には必ず画像形成用濃度補正部０１０８による濃度補正を自動的に行うことを意味している。
【００３０】
次に、第二条件０３０２は、前回の画像形成用濃度補正部０１０８による濃度補正完了時点から、画像形成装置０１０５によるカラー印刷を５００ページ行った後には、必ず画像形成用濃度補正部０１０８による濃度補正を自動的に行うことを意味している。
【００３１】
次に、第三条件０３０３は、前回の画像形成用濃度補正部０１０８による濃度補正完了時点から、画像形成装置０１０５によるモノクロ印刷を１０００ページ行った後には、必ず画像形成用濃度補正部０１０８による濃度補正を自動的に行うことを意味している。
【００３２】
次に、第四条件０３０４は、前回の画像形成用濃度補正部０１０８による濃度補正完了時点から、５時間経過後には、必ず画像形成用濃度補正部０１０８による濃度補正を自動的に行うことを意味している。
【００３３】
次に、第五条件０３０５は、画像形成装置０１０５の省電力のためのスリープ機能から復帰後には、必ず画像形成用濃度補正部０１０８による濃度補正を自動的に行うことを意味している。
【００３４】
さて、図４は、本実施例の全体の動作を示したフローチャートである。
【００３５】
以下、図面上は、ステップはＳと示す。
【００３６】
まず、ＭＦＰの操作部や遠隔地のＰＣ等を用いて、利用者がＭＦＰの全体メニューの中から画像処理用濃度補正機能のメニューを選択する（ステップ０４０１）。
【００３７】
次に、利用者は画像処理装置０１０１の画像処理用濃度補正機能を画像処理装置０１０１の指示に従って進める。なお、本実施例では、様々な濃度を持った複数の同じ色を含んだパッチを、任意の計算式を使って、一枚の用紙にランダムに散りばめた濃度補正用測定ページを生成し、それを画像形成装置０１０５の画像形成部０１０９で出力させ、ＭＦＰのスキャナでそれを電子データとして読み込ませた後、その電子データをから現在の各パッチの出力濃度を分析し、印刷ジョブで指定されている入力値に対する画像形成装置０１０５からの出力値を近似させるための濃度変換テーブルの変更を行う方法を採用するので、これに従って本ステップ以降を進める（ステップ０４０２）。
【００３８】
次に、ステップ０４０２で述べた画像処理用濃度補正機能の途中において、画像処理用濃度補正部０１０３で必要となる濃度補正用測定ページが、画像処理装置０１０１から画像形成装置０１０５に送信される際に、属性付加部０１０４によって、その濃度補正用測定ページの印刷ジョブに、濃度補正用測定ページである旨を示す属性、つまりコマンドパラメータを付加され、画像処理装置０１０１から画像形成装置０１０５にビデオ転送ケーブル０１１１を介して、濃度補正用測定ページの印刷ジョブが送信される（ステップ０４０３）。
【００３９】
次に、属性認識部０１０６は、画像処理装置０１０１から画像形成装置０１０５へ送信された印刷ジョブが、画像処理用濃度補正部０１０３に使用する濃度補正用測定ページである場合に、送信された印刷ジョブの属性、つまりコマンドパラメータを解析して、画像処理用濃度補正部０１０３に使用する濃度補正用測定ページであることを認識し、濃度補正指示部０１０７は、属性認識部０１０６において、画像処理装置０１０１から画像形成装置０１０５に送信された印刷ジョブは、画像処理用濃度補正部０１０３に使用する濃度補正用測定ページであること認識された場合に、画像形成用濃度補正部０１０８に対し、必ずその印刷ジョブの直前に濃度補正を実施するように指示、つまり濃度補正実行にトリガーをかけ、画像形成用濃度補正部０１０８は、経時変化を補正するための濃度補正、いわゆるプリンタエンジンのキャリブレーションを実施する（ステップ０４０４）。
【００４０】
次に、画像形成部０１０８は、画像処理装置０１０１からビデオ転送テーブル０１１１を介して送信された画像処理用濃度補正部０１０３に使用する濃度補正用測定ページのビットマップデータ形式の画像データから実際の用紙に、画像処理用濃度補正部０１０３に使用する濃度補正用測定ページを印刷する（ステップ０４０５）。
【００４１】
最後に、ステップ０４０２で述べた方法に従って、残りの処理、つまり、ＭＦＰのスキャナで、画像形成装置０１０５から出力された画像処理用濃度補正部０１０３に使用する濃度補正用測定ページを電子データとして読み込ませた後、その電子データをから現在の各パッチの出力濃度を分析し、印刷ジョブで指定されている入力値に対する画像形成装置０１０５からの出力値を近似させるための濃度変換テーブルの変更を行う処理を継続し、本画像処理用濃度補正機能の全フローを終了する（ステップ０４０６）。
【００４２】
以上で実施例１の説明を終了する。
【実施例２】
【００４３】
続いて、上述した実施例の変形例としての他の実施例について説明する。なお、本実施例には、実施例１と差異のみを記載し、重複する説明に関しては割愛する場合がある。
【００４４】
実施例１では、画像処理装置０１０１から画像形成装置０１０５へ、ビデオ転送ケーブル０１１１を介して送信される画像処理用濃度補正部０１０３に使用する濃度補正用測定ページを、画像形成装置０１０５で印刷する前には、前回の画像形成用濃度補正部０１０８により自動的に実行された濃度補正の時期は全く加味せずに、必ず強制的に画像形成用濃度補正部０１０８による濃度補正を行っていたが、画像処理用濃度補正部０１０３に使用する濃度補正用測定ページが画像形成装置０１０５に送られてきたからといって、前回の画像形成用濃度補正部０１０８により自動的に実行された濃度補正の直後に再度、画像形成用濃度補正部０１０８による濃度補正を行わなくても良い場合がある。具体的には、図３で説明した画像形成用濃度補正機能の自動実行条件をさらに限定した場合である。
【００４５】
そこで、本実施例では、図３で説明した画像形成用濃度補正機能の自動実行条件をさらに限定した条件に当てはまる場合には、画像処理用濃度補正部０１０３に使用する濃度補正用測定ページが画像形成装置０１０５に送られてきたからといって、強制的に画像形成用濃度補正部０１０８による濃度補正を行わないようにした。
【００４６】
図５は、画像形成用濃度補正部０１０８が、画像形成部０１０９の経時変化を補正するための濃度補正、いわゆるプリンタエンジンのキャリブレーションを、画像処理装置０１０１の画像処理用濃度補正とは非同期に自動的に行う条件と、画像処理装置０１０１から画像処理用濃度補正部０１０３に使用する濃度補正用測定ページが画像処理装置０１０１へと送信された場合でも、画像形成用濃度補正部０１０８が、画像形成部０１０９の経時変化を補正するための強制的な濃度補正は行わない条件の一例を詳細に示した表である。なお、前者の条件については実施例１の図３と同じであるので、本実施例では説明を割愛する。
【００４７】
まず、第一条件０５０１は、起動時１時間以内であれば、画像処理装置０１０１から画像処理用濃度補正部０１０３に使用する濃度補正用測定ページが画像処理装置０１０１へと送信された場合でも、画像形成用濃度補正部０１０８による濃度補正を強制的に行わないことを意味している。
【００４８】
次に、第二条件０５０２は、前回の画像形成用濃度補正部０１０８による濃度補正完了時点から、画像形成装置０１０５によるカラー印刷が５０ページ以内であれば、画像処理装置０１０１から画像処理用濃度補正部０１０３に使用する濃度補正用測定ページが画像処理装置０１０１へと送信された場合でも、画像形成用濃度補正部０１０８による濃度補正を強制的に行わないことを意味している。
【００４９】
次に、第二条件０５０３は、前回の画像形成用濃度補正部０１０８による濃度補正完了時点から、画像形成装置０１０５によるモノクロ印刷が１００ページ以内であれば、画像処理装置０１０１から画像処理用濃度補正部０１０３に使用する濃度補正用測定ページが画像処理装置０１０１へと送信された場合でも、画像形成用濃度補正部０１０８による濃度補正を強制的に行わないことを意味している。
【００５０】
次に、第四条件０５０４は、前回の画像形成用濃度補正部０１０８による濃度補正完了時点から、１時間以内であれば、画像処理装置０１０１から画像処理用濃度補正部０１０３に使用する濃度補正用測定ページが画像処理装置０１０１へと送信された場合でも、画像形成用濃度補正部０１０８による濃度補正を強制的に行わないことを意味している。
【００５１】
次に、第五条件０５０５は、画像形成装置０１０５の省電力のためのスリープ機能から復帰後２時間以内であれば、画像処理装置０１０１から画像処理用濃度補正部０１０３に使用する濃度補正用測定ページが画像処理装置０１０１へと送信された場合でも、画像形成用濃度補正部０１０８による濃度補正を強制的に行わないことを意味している。
【００５２】
さて、図６は、本実施例の全体の動作を示したフローチャートである。
【００５３】
まず、ＭＦＰの操作部や遠隔地のＰＣ等を用いて、利用者がＭＦＰの全体メニューの中から画像処理用濃度補正機能のメニューを選択する（ステップ０４０１）。
【００５４】
次に、利用者は画像処理装置０１０１の画像処理用濃度補正機能を画像処理装置０１０１の指示に従って進める。なお、本実施例では、様々な濃度を持った複数の同じ色を含んだパッチを、任意の計算式を使って、一枚の用紙にランダムに散りばめた濃度補正用測定ページを生成し、それを画像形成装置０１０５の画像形成部０１０９で出力させ、ＭＦＰのスキャナでそれを電子データとして読み込ませた後、その電子データをから現在の各パッチの出力濃度を分析し、印刷ジョブで指定されている入力値に対する画像形成装置０１０５からの出力値を近似させるための濃度変換テーブルの変更を行う方法を採用するので、これに従って本ステップ以降を進める（ステップ０４０２）。
【００５５】
次に、ステップ０４０２で述べた画像処理用濃度補正機能の途中において、画像処理用濃度補正部０１０３で必要となる濃度補正用測定ページが、画像処理装置０１０１から画像形成装置０１０５に送信される際に、属性付加部０１０４によって、その濃度補正用測定ページの印刷ジョブに、濃度補正用測定ページである旨を示す属性、つまりコマンドパラメータを付加され、画像処理装置０１０１から画像形成装置０１０５にビデオ転送ケーブル０１１１を介して、濃度補正用測定ページの印刷ジョブが送信される（ステップ０４０３）。
【００５６】
次に、属性認識部０１０６は、画像処理装置０１０１から画像形成装置０１０５へ送信された印刷ジョブが、画像処理用濃度補正部０１０３に使用する濃度補正用測定ページである場合に、送信された印刷ジョブの属性、つまりコマンドパラメータを解析して、画像処理用濃度補正部０１０３に使用する濃度補正用測定ページであることを認識し、濃度補正指示部０１０７は、属性認識部０１０６において、画像処理装置０１０１から画像形成装置０１０５に送信された印刷ジョブは、画像処理用濃度補正部０１０３に使用する濃度補正用測定ページであること認識された場合に、図５の強制的な濃度補正は行わない条件から外れているか否かを判断し（０６０１）、もしその条件に入っていればステップ０４０５に進み、もしその条件から外れていれば、画像形成用濃度補正部０１０８に対し、必ずその印刷ジョブの直前に濃度補正を実施するように指示、つまり濃度補正実行にトリガーをかけ、画像形成用濃度補正部０１０８は、経時変化を補正するための濃度補正、いわゆるプリンタエンジンのキャリブレーションを実施する（ステップ０４０４）。
【００５７】
次に、画像形成部０１０８は、画像処理装置０１０１からビデオ転送テーブル０１１１を介して送信された画像処理用濃度補正部０１０３に使用する濃度補正用測定ページのビットマップデータ形式の画像データから実際の用紙に、画像処理用濃度補正部０１０３に使用する濃度補正用測定ページを印刷する（ステップ０４０５）。
【００５８】
最後に、ステップ０４０２で述べた方法に従って、残りの処理、つまり、ＭＦＰのスキャナで、画像形成装置０１０５から出力された画像処理用濃度補正部０１０３に使用する濃度補正用測定ページを電子データとして読み込ませた後、その電子データをから現在の各パッチの出力濃度を分析し、印刷ジョブで指定されている入力値に対する画像形成装置０１０５からの出力値を近似させるための濃度変換テーブルの変更を行う処理を継続し、本画像処理用濃度補正機能の全フローを終了する（ステップ０４０６）。
【００５９】
以上で実施例２の説明を終了する。
【図面の簡単な説明】
【００６０】
【図１】本発明の両実施例を説明するための図である。
【図２】本発明の両実施例を説明するための図である。
【図３】本発明の実施例１における動作を説明するための表である。
【図４】本発明の実施例１における動作を説明するためのフローチャートである。
【図５】本発明の実施例２における動作を説明するための表である。
【図６】本発明の実施例２における動作を説明するためのフローチャートである。
【符号の説明】
【００６１】
０１０２  画像処理部であり、請求項１における画像処理手段である。
０１０３  画像処理用濃度補正部であり、請求項１における画像処理用濃度補正手段である。
０１０４  属性付加部であり、請求項１における属性付加手段である。
０１０６  属性認識部であり、請求項１における属性認識手段である。
０１０７  濃度補正指示部であり、請求項１における濃度補正指示手段である。
０１０８  画像形成用濃度補正部であり、請求項１における画像形成用濃度補正手段である。
０１０９  画像形成部であり、請求項１における画像形成手段である。
【図１】
2006227877.tif 000003
【図４】
2006227877.tif 000004
【図６】
2006227877.tif 000005
【図２】
2006227877.tif 000006
【図３】
2006227877.tif 000007
【図５】
2006227877.tif 000008